(57)【特許請求の範囲】
【請求項１】
シリンダ錠の内筒の前端に装着され、中心軸に沿って鍵孔を貫通させたキーガイドの後方にシャッター収納部を凹設し、このシャッター収納部内に、鍵孔の幅方向に延在し、シャッター収納部内に開口する鍵孔を覆うに足る寸法の板状の磁性材料よりなるシャッターを配設し、このシャッターを、鍵孔に近接してその外側を幅方向に貫通する回転軸の回りを回動できるように案内すると共に、鍵孔を内側から覆う閉鎖角度位置、及び鍵孔に挿入された合鍵と干渉しない退避角度位置を規定するストッパーを設け、閉鎖角度位置を規定するストッパーのシャッターとの接合面に永久磁石を埋設したことを特徴とするシリンダ錠の鍵孔シャッター。
【発明の詳細な説明】
【０００１】
【発明の属する技術分野】
この発明は、シリンダ錠の鍵孔シャッター（以下単にシャッターという）に係り、特に、簡単な構造で確実に作動し、シリンダ錠の内部への塵やほこり等の侵入を防止できるシャッターに関する。
【０００２】
【従来の技術】
所謂シリンダ錠は、何れの型式のものも、内筒内空間が鍵孔を介して外部空間に連通しており、したがって鍵孔から内筒内に塵やほこり、或いは小さな虫等が侵入し易い。
【０００３】
周知のように、ピンタンブラー錠を除いて、シリンダ錠の内筒にはその中心軸線に沿って多数のスロットが形成されており、各スロットにはタンブラーが摺動或いは回動可能に収納されており、鍵孔に挿入される鍵と係合する方向に付勢されている。
【０００４】
【発明が解決しようとする課題】
各タンブラーとスロットを区画する仕切板との間には僅かな隙間しかないから、長期間の使用後内筒内に侵入した塵やほこりなどがタンブラーと仕切板との間に堆積すると、タンブラーの動きがこれらの塵等に阻害され、通常、鍵を鍵孔から抜いてもタンブラーが元の位置に戻らなくなる、という作動不良が生じる。
【０００５】
そこで、この発明は、シリンダ錠の鍵孔をその入口付近で閉鎖し、内筒内に塵やほこり或いは小さな虫等が侵入することを完全に防止できるシャッターを提供することを目的としている。
【０００６】
【課題を解決するための手段】
上記の目的を達成するため、この発明は、シリンダ錠の内筒の前端に装着され、中心軸に沿って鍵孔を貫通させたキーガイドの後方にシャッター収納部を凹設し、このシャッター収納部内に、鍵孔の幅方向に延在し、シャッター収納部内に開口する鍵孔を覆うに足る寸法の板状の磁性材料よりなるシャッターを配設し、このシャッターを、鍵孔に近接してその外側を幅方向に貫通する回転軸の回りを回動できるように案内すると共に、鍵孔を内側から覆う閉鎖角度位置、及び鍵孔に挿入された合鍵と干渉しない退避角度位置を規定するストッパーを設け、閉鎖角度位置を規定するストッパーのシャッターとの接合面に永久磁石を埋設したことを特徴とする。
【０００７】
【実施例】
以下、この発明の一実施例を図面を参照して説明する。なお、この実施例は、この発明をレバータンブラー錠に適用した場合を示すものである。
【０００８】
従来のレバータンブラー錠の構成を示す図１及び図２において符号１は外筒を示し、この外筒１内には、全体を符号２で示す内筒が回動可能に嵌合している。
【０００９】
この内筒２は、リテーナ３、３（図２参照）により複数の仕切り板４、４、キーガイド及び尾栓６を相互に一体に結合してなり、中心軸に沿って鍵孔７が貫通している。
【００１０】
また、各仕切り板４間、或いは仕切り板４とキーガイド５、尾栓６との間に形成されたスロット８には、全体の形状がＣ字形のレバータンブラー９が、一端を支軸１１に回動自在に支承され、タンブラーばね１２（図２参照）の弾力により鍵孔７に挿入された図示しない合鍵に近接する方向に付勢されている。
【００１１】
そして、鍵孔７に合鍵が挿入され、この合鍵の鍵溝によってレバータンブラー９が揺動して、その他端に形成された解錠切欠１３がロッキングバー１４と整合したとき、このレバータンブラー錠は解錠状態となる。
【００１２】
この状態で合鍵を介して内筒を回せば、カム溝１５とロッキングバー１４との間に生じる楔作用によりロッキングバー１４は内筒の中心軸方向に移動し、内筒は回動可能になることは従来のレバータンブラー錠と変るところはない。
【００１３】
なお、図１及び図２において符号１６はバックアップピンを示し、このバックアップピン１６は鍵孔７に合鍵が挿入されないときのレバータンブラー９のストッパーの機能と、合鍵とは異なる異鍵が鍵孔に挿入されたときにレバータンブラー９に印加される外力を担持する機能とを併せ有している。
【００１４】
上記した構成の従来のレバータンブラー錠は、図１及び図２から明らかなように、内筒内空間が鍵孔７を介して外部空間に連通しているので、鍵孔７を通って内部に塵やほこり或いは小さな虫が侵入することは前記した通りである。
【００１５】
ところで、この発明は、前記キーガイド５内にシャッターを組込み、もって鍵孔７に合鍵が挿入されていないときに内筒内に塵やほこりなどが侵入することを防止する。
【００１６】
ちなみに、施解錠のために鍵孔７に合鍵を挿入するときには、鍵孔７を合鍵が閉塞するから、鍵孔を通って内筒内に塵やほこりが侵入する恐れは無い。
【００１７】
この発明の一実施例を示す図３及び図４において、符号５はキーガイドを示し、このキーガイド５は、内部にシャッターを組込む関係上、その中心軸線方向の寸法（図４で左右方向の寸法）が従来のものと比較して約２．８ｍｍ（ミリメートル）大きく（厚く）設定されている。
【００１８】
このキーガイド５の後方（図４で右方）は厚さがほぼ半分になる程度にくりぬかれ、内筒回動軸に垂直な平面への投影形状が矩形のシャッター収納部１７が形成されている。
【００１９】
このシャッター収納部１７内には、図５及び図６に示すシャッター１８が配設されてい。
【００２０】
このシャッター１８は、図５乃至図７に示すように、シャッター収納部１７内に開口する鍵孔７の幅方向（図７で左右方向）に延在し、鍵孔７を覆うに足る寸法の板状の磁性材料よりなる。
【００２１】
図示の実施例では、このシャッター１８の中央部が断面台形になるように形成されているが、これは鍵孔７に合鍵１９が挿入され、シャッター１８が合鍵と干渉しない退避角度位置をとったとき（図８参照）、前記バックアップピン１６と干渉しないようにするためで、この発明をディスクタンブラー錠等のバックアップピンが無いシリンダ錠に適用した場合には必要の無い構成である。
【００２２】
上記シャッター１８は、シャッター収納部１７内において、鍵孔に近接してその外側を幅方向に貫通する回転軸２１（図４参照）の回りを回動できるように案内されている。
【００２３】
そのため、図６に示すように、シャッター１８の両端には支持片２２が突設されており、これに対応して、図３及び図４に示すように、上記回転軸２１に反ってキーガイドの外側から一対の支持孔２３、３が穿設されている。
【００２４】
なお、図示の実施例では、各支持孔２３の内端はシャッター収納部１７の内壁を貫通してシャッター収納部１７内に延伸しているが、これは支持片２３（図６参照）の図６における左右方向の寸法を大きくして剛性を増大させるためであってこの発明の必須の構成ではない。
【００２５】
上記支持片２２を支持孔２３に嵌め込むには、例えば、シャッター１８を図４及び図７に示す関係位置でその一端を一方の支持孔２３に挿入し、シャッター１８を全体が湾曲するように弾性変形させて他方の支持片２２を他方の支持孔２３に差込む。
【００２６】
上記シャッター１８の弾性変形を容易にするため、要すれば、シャッター１８の中央部の肉を盗んで薄くする（図示せず）。
【００２７】
この場合、支持孔２３の内周面が支持片２２に外接する、という形態でシャッターを支承するが、シャッターを回動可能に案内する、という機能は通常の丸軸及び丸穴の支持形態と変るところはない。
【００２８】
上記のようにしてシャッター１８をシャッター収納部１７内で回動可能に案内し、シャッター１８を起立させたときには、図４及び図７に示すように、鍵孔７を内側から覆うことができるようにする。
【００２９】
このシャッター１８の角度位置を閉鎖角度位置と定義すると、この閉鎖角度位置はシャッター１８とシャッター収納部１７の底面との接合によって定まり、この場合シャッター収納部１７の底面はシャッター１８の閉鎖角度位置を規定するストッパーとなる。
【００３０】
なお、図示の実施例では、図５に示すように、シャッター１８の前面（外面）は断面台形に突出しているので、図３及び図４に示すように、シャッター収納部１７の底面の鍵孔７の中央部に断面台形の掘り下げ部２４を形成する。
【００３１】
また、シャッター１８が閉鎖角度位置にあるときこれを安定に保持するため、この掘り下げ部２４の両側に、例えば一対の永久磁石２５、２５を埋設する。
【００３２】
なお、図示の一対の永久磁石２５、２５のシャッター１８に対向する磁極は相互に異磁極とするとよい。それは、シャッター１８を通る磁束密度が増大するからである。
【００３３】
上記のように構成されたこの発明の一実施例によるシャッターは、合鍵が鍵孔７に挿入されていない常態においては、図４及び図７に示すように、シャッター１８が閉鎖角度位置にあって鍵孔７を内側から覆い、内筒内に塵やほこり、或いは小さな虫等が侵入することを防止する。
【００３４】
そして、この角度位置は、永久磁石２５と磁性板であるシャッター１８との吸着により安定に保持される。
【００３５】
施解錠のため合鍵を鍵孔７に挿入すると、鍵先によってシャッター１８の自由端縁部が内側に押動され、シャッター１８と永久磁石２５との磁気係合が外れる結果、シャッター１８は図４の矢印で示す方向に倒れ、図８に示すように、バックアップピン１６を包持するようにしてこれに係止される。
【００３６】
このときには、図８から明らかなように、シャッター１８は合鍵１９と干渉しない退避角度位置にあり、バックアップピン１６はシャッターの退避角度位置を規定するストッパーとなる。
【００３７】
施解錠操作を終えて合鍵１９を鍵孔から引き抜くと、シャッター１８は再び自由になるから、永久磁石２５の磁気吸引力により図４に示す閉鎖角度位置に復帰する。
【００３８】
【発明の効果】
以上の説明から明らかなように、この発明は、キーガイドの後方にシャッター収納部を凹設し、このシャッター収納部内に、鍵孔の幅方向に延在し、シャッター収納部内に開口する鍵孔を覆うに足る寸法の板状の磁性材料よりなるシャッターを配設し、このシャッターを、鍵孔に近接してその外側を幅方向に貫通する回転軸の回りを回動できるように案内すると共に、鍵孔を覆う閉鎖角度位置にあるシャッターを永久磁石により吸着するようにしたので、施解錠時以外は常に鍵孔を閉鎖してシリンダ錠内部に塵やほこりなどが侵入することを防止できる、という所期の効果を奏する。
【００３９】
また、永久磁石によりシャッターを吸着するようにしたので、装置全体をコンパクトにできる、等種々の効果を奏する。
【図面の簡単な説明】
【図１】レバータンブラー錠の構造の一例を示す縦断面図。
【図２】図１のＩＩ−ＩＩ線によるその横断面図。
【図３】この発明によるシャッターを組込むキーガイドの背面図。
【図４】その断面図。
【図５】シャッターの平面図。
【図６】その背面図。
【図７】この発明によるシャッターを組込んだキーガイドの背面図で、シャッターが閉鎖角度位置にある状態を示す。
【図８】この発明によるシャッターを組込んだキーガイドの背面図で、シャッターが退避角度位置にある状態を示す。
【符号の説明】
２  内筒
５  キーガイド
７  鍵孔
１６  バックアップピン
１７  シャッター収納部
１８  シャッター
１９  合鍵
２１  回転軸
２２  支持片
２３  支持孔
２４  掘り下げ部
２５  永久磁石
【図１】
0004237333.tif 000002
【図２】
0004237333.tif 000003
【図３】
0004237333.tif 000004
【図４】
0004237333.tif 000005
【図５】
0004237333.tif 000006
【図６】
0004237333.tif 000007
【図７】
0004237333.tif 000008
【図８】
0004237333.tif 000009